(57)【特許請求の範囲】
【請求項１】
筒体後方に係り部を設け、前記係り部に消しゴムホルダー内の嵌合部と係合して、前記消しゴムホルダーを装着し、前記消しゴムホルダーの内部に形成した螺旋状と、消しゴムの外周面に設けた螺旋状とをかみ合わせて前記消しゴムを嵌め込み、前記消しゴムの一方側を前記筒体内に収納して、前記筒体の内部に消しゴム本体の回転止め機構を構成し、前記消しゴムを、前記回転止め機構に係合して、前記消しゴム本体の回転止めを行ない、前記消しゴムホルダーを左右回動させて螺旋状機構による出し入れ繰り出しを行なうことを特徴とする消しゴム繰り出し装置付きシャープペンシル。
【請求項２】
消しゴムの内部に鉛筆芯の挿入孔を前後方向に貫通して設け、前記鉛筆芯の挿入を前記挿入孔から中筒内前方向へ瞬時に行なえることを特徴とした請求項１に記載の消しゴム繰り出し装置付きシャープペンシル。
【請求項３】
筒体内の後方端部側に形成した螺旋状と、消しゴムの外周面に設けた螺旋状とをかみ合わせて前記消しゴムを嵌め込み、前記消しゴムの一方側を前記筒体内に収納し、前記螺旋状機構によって、前記消しゴムをつまんで回動による繰り出しを行なうと共に、消しゴムの内部に鉛筆芯の挿入孔を前後方向に貫通して設け、前記鉛筆芯の挿入を前記挿入孔から中筒内前方向へ瞬時に行なえることを特徴とした消しゴム繰り出し装置付きシャープペンシル。
【請求項４】
消しゴムの一方側に、鉛筆芯の通過阻止弁を設けて、前記消しゴムに設けた挿入孔から、前記鉛筆芯の飛び抜け阻止することを特徴とした請求項２又は請求項３に記載の消しゴム繰り出し装置付きシャープペンシル。
【発明の詳細な説明】
【技術分野】
【０００１】  本発明は、シャープペンシルや、単独筒体型に用いられる消しゴムの繰り出し装置に関する。
【背景技術】
【０００２】  従来のボールペンシルには、キャップ本体の内部に消しゴムの繰り出し装置が内蔵されたものがある。（例えば、特許文献１参照）【０００３】  また、幼児が誤って飲み込み時、空気の流通確保されるように安全対策を施すための、シャープペンシルの先端部に孔の開いた消しゴムを取り付けたものがある。
（例えば、特許文献２参照）【０００４】  それに、鉛筆芯の挿入方法及び鉛筆芯の飛び抜け阻止として、シャープペンシルの先端部に、孔の開いた案内部材を取り付けたものがある。（例えば、特許文献３参照）【０００５】  以下、特許文献１〜特許文献３に記載されている図面に基づいて説明する。【０００６】  特許文献１の図１〜図３には、キャップ４内に、ネジ溝１７及び受け溝１８を設けた消しゴム７を、スクリューネジ部１３が形成した筒状部１２の中に嵌め込まれ、且つ、消しゴム７の部分を、係合片１９を形成した回転筒５の中に嵌め込まれ、回転筒５を回転させて消しゴムの繰り出し方法を行なうものであるが繰り出しする場合、軸筒１の回転止め部１５をキャップ４内に挿入して筒状部１２の回転を止めて行なうものである。軸筒１内に、ボールペンリフィールが収納されるとのことで、ボールペン筆記用としての装着構造方法である。【０００７】  特許文献２の図５〜図７には、軸筒５の端部に消しゴム２の孔芯Ｐ通り、ゴム通気孔３−２を設け、そのゴム通気孔３−２の目的は、明細書に幼児が誤って飲み込んで喉に詰まった場合、空気の流通が確保されるための安全対策を施すためのものと記され、それ以外の目的は明記されず本発明の消しゴムの繰り出し構造とは異なる。【０００８】  特許文献３の図２及び図７には、外筒１の端部に筆記芯通路７０を設けた案内部材７を着脱不可に固定して取り付け、筆記芯通路７０から筆記芯Ｌを挿入する方法で案内部材７の内部には、筆記芯Ｌの通過を阻止する弾性片７６を設けて装着している。
【先行技術文献】
【特許文献】
【０００９】
【特許文献１】  特開２００３−３２０７９０号公報
【特許文献２】  特開平８−３３２７９８号公報
【特許文献３】  特開２０１４−６９３１６号公報
【発明の概要】
【発明が解決しようとする課題】
【００１０】  以上に述べた従来の特許文献１による消しゴムの繰り出し装置は、複雑な機構によって構成されたもので製造コストの問題が課題であった。ボールペンに用いることを主体とし、シャープペンシルに用いるためには構造の改良が必要であった。【００１１】  このような従来型の消しゴム繰り出し装置には、下記で説明する本発明の消しゴムの内部に鉛筆芯を挿入するための挿入孔を設ける方法や、鉛筆芯の通過阻止弁の構造手段ができなかった。【００１２】  特許文献２に記載のゴム通気孔３の目的は、幼児が誤って飲み込み喉に詰まった場合の空気の流通確保される安全対策として施したものであって、これらのゴム通気孔３は、所定の空気を確保し得る孔径（開口面積）による大きな孔が必要として形成され、且つ、キャップ通気孔８及びホルダー通気孔１０がゴム通気孔３の孔芯Ｐから外れていると明記されている。このような構造では、本発明のような消しゴムから鉛筆芯が直接挿入することができず、消しゴム繰り出し装置に用いるには困難で改良の必要性があった。【００１３】  特許文献３は、筆記芯通路７０を設けた案内部材７の材質が消しゴムとは異なり、消しゴム繰り出し装置に適応するには構造的に問題があった。【００１４】  本発明は、このような従来の構成が有していた問題を解決しようとするもので、シャープペンシル用の消しゴム繰り出し装置及び単独筒体型消しゴム繰り出し装置の製作において、安全面及びコスト削減と機能向上等の実現することを目的としている。
【課題を解決するための手段】
【００１５】  シャープペンシルの筆記ペン先方向を前方とし、一方のクリップ付き方向を後方と称して説明する。
また、筒体とは、軸筒及び中筒（芯タンク含む）これら全体を含めたものである。【００１６】  本発明は、上記目的を達成するために、シャープペンシルの筒体後方に係り部を設けて、消しゴムホルダーに形成した嵌合部と係合し、前記消しゴムホルダーの内部に形成した雌螺旋と、消しゴムの外周面に設けた雄螺旋とをかみ合わせて装着し、前記消しゴムの一方側を前記筒体の内部に収納すると共に、前記消しゴムを前記雌螺旋と前記雄螺旋のかみ合わせによって、前記消しゴムホルダーの出入り口から出し入れ繰り出し手段を行なう。【００１７】  前記の雌螺旋と雄螺旋のかみ合わせる形状方法は、スクリュー状螺旋式構造を用いてもよい。
また、消しゴムを出入り口から出し入れ操作する方法は、消しゴムの出没先端部を摘んで手回し回動するか、或いは、消しゴムホルダーを左右回動して出し入れする方法があり、何れかを選択すれば用を成すもので便利良くするためには、消しゴムホルダーでの回動が適している。【００１８】  尚、上記、消しゴムの先端部を摘んで手回し回動する場合は、消しゴムホルダーが同時に回転しないように押さえ止める必要がある。【００１９】また、消しゴムホルダーによる左右回動操作時の出し入れは、消しゴム本体の回転を止めねばならずそのためには、シャープペンシル筒体の内部に前後方向に連なる回転止め孔を形成し、消しゴムの一方端部に設けた回転止め片を前記回転止め孔に挿入して、消しゴム本体の回転止め機構を構成する。
同時に、鉛筆芯の繰り出し操作を行なう中筒が前後可動時においても、回転止め孔間を消しゴムの回転止め片が前後方向に繰り出し移動できるように遊嵌に挿入する。【００２０】  消しゴムホルダーを左右回動させて螺旋同士のかみ合わせによる出し入れ繰り出しを行ない且つ、係り部から着脱自在に装着可能にする。【００２１】  消しゴムホルダーの回動仕組みは、上述の係り部と嵌合部との係合が緩やかな遊びを持たせた遊嵌に装着されているため、左右の回動及び着脱自在に嵌め込まれている。そのようにするためには、消しゴムホルダーの材質は、弾性の樹脂製が適している。【００２２】  それに、鉛筆芯を中筒前方向に挿入する手段として、消しゴムの中心内部に鉛筆芯の挿入孔を前後方向に貫通して設けると共に、前記消しゴムの一方端部に、前記鉛筆芯の通過阻止弁を前記消しゴムと一体化形成して、前記鉛筆芯の挿入を前記挿入孔から中筒前方向に瞬時に行なう手段とする。中筒に収納された鉛筆芯は、前記通過阻止弁によって挿入孔からの逆戻り阻止ができる。【００２３】  以上、シャープペンシルに組み込まれた方法による鉛筆芯の挿入孔及び通過阻止弁付き消しゴムの繰り出し装置とする。【００２４】    単独型の筒体に組み込まれる消しゴム繰り出し装置は、軸筒３内に直接消しゴムの回転止め機構を設けるほか上述の不必要なものを除けばよい。
【発明の効果】
【００２５】  本発明の消しゴム繰り出し装置は、消しゴムホルダー内及び消しゴム外周面に設けた各螺旋機構のかかわり合いによる出し入れ繰り出し構造手段としたものであって、製作部品数が少なく且つ、組立て作業が容易でコスト削減ができて能率が向上する。【００２６】  消しゴムホルダーが筒体の係り部と嵌合部の係合が、遊嵌に装着されているため回動及び着脱が自在で、消しゴムの入れ替え交換が容易である。
それに、回転止め片を設けた消しゴムが、中筒の内部に挿入するだけで消しゴムの回転止めができ、付属部品が少ないため破損することがない。【００２７】消しゴムに鉛筆芯の挿入孔を設けることにより、直接挿入孔から中筒内前方へ瞬時に行なえると共に、通過阻止弁で鉛筆芯の逆戻り阻止ができる。【００２８】  実施例５で示した独立のカプセル型着脱式構造手段は、コンパクト型で筒体から容易に出し入れができ便利である。
従来のように、面倒な消しゴム及びノック式キャップをその都度取り外す煩わしさがなくなり、それらの紛失防止にも効果がある。【００２９】  実施例１〜実施例４による中筒１２（芯タンク含む）内に直接回転止め片１４を挿入して消しゴムの回転止めを行なえば付属品が少なく、軸筒３の外周囲が細く出来上がるため筆記時のペンシルの回転率が上がり、鉛筆芯の偏減り防止に効果的である。
更に、中筒１２内に挿入された消しゴムは、中筒１２間内の奥行きが深いため超長棒状の消しゴムを挿入することができ、交換頻度が少なくてすむ効果がある。
【図面の簡単な説明】
【００３０】
【図１】  本発明の第一実施形態を示す側面断面図である。
【図２】  同第一実施形態図１のＡ−Ａ断面の拡大図である。
【図３】  本発明に用いる消しゴムの他の構造を示す側面断面図である。
【図４】  本発明の第二実施形態を示す側面断面図である。
【図５】  本発明の第三実施形態を示す側面断面図である。
【図６】  本発明の第四実施形態を示す側面断面図である。
【図７】  本発明の第五実施形態を示す側面断面図である。
【発明を実施するための形態】
【００３１】  下記の実施形態との関連するシャープペンシルに用いる収納クリップが、本願の出願人と同出願人が出願されたものがある。出願番号は、特願２０１４−８０５４２であり、これら一部を引用文献として用いる。
【００３２】  以下、本発明の実施形態を図１〜図７に基づいて説明する。
尚、下記の繰り出しの名称において、「消しゴムの繰り出し」と「鉛筆芯の繰り出し」があり、混同しないようにそれぞれ明記して説明する。
【実施例１】
【００３３】    図１においては、筆記ペン先の前方を破断線で省略し、後方のみを示した側面断面図のシャープペンシルである。
以下、筒体１及び軸筒３のペン先方向を前方、クリップ２の方向を後方と称して説明する。【００３４】  筒体１後方とする軸筒３の先端外周囲に、凸状丸みの係り部５を形成し、その部分に消しゴムホルダー６に設けた凹状の受け部とする嵌合部７を係合させて装着する。
上記係り部５と、嵌合部７との係合状態を、消しゴムホルダー６が左右回動及び着脱自在に行なえるように、緩やかな遊びを持たせて遊嵌に装着し、消しゴムホルダー６は同位置で左右回動を繰り返す手段を講じている。【００３５】  消しゴムホルダー６の内部には雌螺旋８を形成し、消しゴム９の外周に設けた雄螺旋１０とかみ合わせて左右回動によって消しゴム９の出し入れ繰り出しを構成し、出入り口１１の部分から自在に出し入れ手段を行なうようにする。【００３６】  上述の消しゴムホルダー６の左右回動による出し入れ繰り出し操作時は、消しゴム９本体が同時に回転しないように回転止めが必要となり、そのためには、筒体１の内部に消しゴム９本体の回転止め機構を構成する必要がある。【００３７】  回転止め機構を構成するためには、筒体１内の中筒１２内部に、四角状孔の回転止め孔１３（図２断面図参照）を前後方向に連ねて形成し、回転止め孔１３の中に消しゴム９に設けた四角状の回転止め片１４を挿入する。
挿入された消しゴム９及び回転止め片１４は、前後方向移動可能にするため、回転止め孔１３間に遊びを持たせて遊嵌に挿入されている。
そのように遊嵌に挿入すると、下記で示す中筒１２を前方に可動操作時、鉛筆芯の繰り出しを行なう場合にも必要とするためでもある。【００３８】  尚、中筒１２の内部に形成した回転止め孔１３及び消しゴム９の四角状の回転止め片１４の形状は、必ずしも四角状とは限らず、例えば六角状等の多角形状や楕円形状等による回転止め機構を設ければ用を成すもので言うまででもない。
また、回転止め孔１３の内部形状においても、四角状孔とは限らず、凸片突起物状等を形成して回転止め片１４の回転止め手段を行なってもよい。
中筒１２を四角状や楕円パイプ状、或いは多角形パイプ型に形成すればコスト削減にもなる。【００３９】  それに、装着された消しゴム９の中心内部に、鉛筆芯１５を挿入するための挿入孔１６を前後方向に貫通すると共に、一方の先端部に円錐状或いは漏斗状の通過阻止弁１７を設けて鉛筆芯１５が挿入孔１６から飛び抜けないようにする。【００４０】  鉛筆芯１５の繰り出し操作方法として、中筒１２にレバー支持４を固着し、レバー支持４に点線で示した収納クリップ２を嵌合して収納クリップ２を前方に押圧することにより中筒１２が可動し、鉛筆芯１５の繰り出し操作ができる。【００４１】  収納クリップ２の持ち上げ部２５は、外周面２６から突出しないように収納凹溝部２７に収納されて、軸筒３を握り摘んで筆記時の左右回転の邪魔にならないようにしている。【００４２】  上述の消しゴムホルダー６の左右回動による出し入れ繰り出し操作方法が第一手段として説明されたほかに、第二手段として、出入口１１から一部出没させた消しゴム９の先端部を直接摘んで左右回動させる方法がある。
しかし、この場合は、上記の雌螺旋８と雄螺旋１０がかみ合って装着された消しゴムホルダー６が同時に回転しないように消しゴムホルダー６を固定するか或いは指で押さえて回転止めを行なう必要がある。【００４３】  第二手段による消しゴム９の先端部を摘んでの左右回動時は、上述で説明した中筒１２に設けた回転止め機構が不要となるので回転止め孔１３や、消しゴム９の回転止め片１４は設けなくてよい。【００４４】  上記の第一手段及び第二手段による操作方法を、何れか選択すれば用を成すものであるが、便利にするためには、消しゴムホルダー６の回動式が適している。【００４５】  上記は、シャープペンシルに用いた場合の説明であるが、単独筒体型の消しゴム繰り出し装置においては、クリップは逆方向に取り付けて上述の中筒１２、消しゴム９の挿入孔１６及び通過阻止弁１７等は不要となるので取り除けばよい。
単独筒体型式消しゴムホルダー６での回動操作時には、消しゴム９の回転止めが必要であるのでその場合、軸筒３の内部直に中筒１２同様な回転止め孔１３を形成して回転止めを構成すればよい。【００４６】  図２は、図１のＡ−Ａ線断面図で、軸筒３に内蔵した中筒１２の四角状孔の回転止め孔１３の中に、四角状の回転止め片１４を挿入して消しゴム９本体の回転止め機構を構成している。
消しゴム９の中心内部に鉛筆芯の挿入孔１６が貫通して設け、クリップのレバー支持４は、中筒１２に連結されて可動ガイド溝２８の誘導で鉛筆芯の繰り出しを行なう。【００４７】  図３は、図１と異なる消しゴムの他の構造体を示すもので、上述の図１の消しゴム９は、外周面に直接雄螺旋１０を形成した方法に対して、図３では、消しゴム９の外周面に雄螺旋１０を形成した樹脂製の丸筒部材１８で覆い被せた方法である。
回転止め片１４の形状は楕円形状に形成し、一方側を通過阻止弁１７と鉛筆芯の挿入孔１６を設けて丸筒部材１８内に消しゴム９を挿入している。【００４８】  図３の消しゴムを用いる場合、丸筒部材１８の外周囲に切れ目１９を設けて部分的に切り離しできるようにし、雄螺旋１０と消しゴムホルダー９の雌螺旋８とがかかわり合って出し入れ繰り出し時、消しゴムホルダー９の出入り口１１から出没させて切れ目１９から切り剥ぎ取って使用する方法である。
丸筒部材１８を用いれば、雌螺旋と雄螺旋のかかわり合いがよく且つ、スクリュー式螺旋構造にした場合に適する。【００４９】  図３で示す回転止め片１４の形状は、楕円型形状であり中筒１２の回転止め孔１３の形状も楕円型形状受け孔にして消しゴムの回転止めを行なえばよい。【００５０】  尚、実開昭５８−７４５８４号公報に、消しゴム繰り出しシャープペンシルが出願されたものがあり、スクリュー式螺旋構造として第４図で螺旋管４が記載されている。
この螺旋管４の外周面に部分的切り剥ぎ取りできるように切れ目を設けて螺旋管４の内部に消しゴムを挿入して本発明に用いても同様な効果がある。【００５１】  上述で、消しゴムホルダーの内部は雌螺旋の形成方法として説明されているが、必ずしも雌螺旋に限定するものではなく、例えば突起片を設けてかみ合わせても用を成すものであり、雌螺旋に変わる突起片のスクリュー式螺旋構造方法を用いてもよく、上記文献のようなスクリュー式螺旋構造を用いても同様な手段が講じられ、その場合の消しゴムホルダーの内部の形状は、凸状の突起片を設けて消しゴムの雄螺旋状とをかみ合わせて繰り出し機構を構成すればよい。本明細書においては、説明しやすいように雌螺旋と雄螺旋のかかわり合いとして説明している。
【実施例２】
【００５２】図４においてもシャープペンシルに用いた場合の繰り出し装置であって、筒体１後方とする軸筒３内の中筒１２後方先端外周囲に、凸状丸みの係り部５を形成し、その部分に消しゴムホルダー６に設けた凹状の受け部とする嵌合部７を係合させて遊嵌に装着されている。【００５３】  中筒１２にクリップ２のレバー支持４を接続し、クリップ２及びレバー支持４の前方可動操作と共に、中筒１２を前方に可動させて鉛筆芯の繰り出し操作を行なえるようにしている。
その場合、装着している消しゴムホルダー６が共に前方に可動するため、軸筒３の後方先端部と、消しゴムホルダー６内の間に可動範囲の隙間とする可動ギャップ２０を設けている。【００５４】  鉛筆芯の繰り出し操作は、クリップ２の押圧手段のほかに、消しゴムホルダー６も同時に可動するので、消しゴムホルダー６を前方に押圧してもよい。【００５５】  図４で示す係り部５が、中筒１２の後方先端部に設けて消しゴムホルダー６を係合させているのに対して、上述の図１に設けた係り部５は、軸筒３の後方先端部に設けて消しゴムホルダー６を係合させた方法で、双方の係り部５の形成位置によって、係合配置が異なる。【００５６】  尚、その他の説明については、上記の図１〜図２で説明したものと同様のため説明を省略する。
【実施例３】
【００５７】  図５も同様に、シャープペンシルに用いた場合を説明する。
軸筒３後方の内周囲に、凹状の係り部５を形成し、一方の消しゴムホルダー６に丸筒２１を形成して、その丸筒２１の外周囲に凸状の嵌合部７を設け、上述の凹状係り部５と係合させて左右回動及び着脱可能に装着した。【００５８】  また、軸筒３の内部に、鉛筆芯を繰り出しするための中筒１２を内蔵し、その部分にレバー支持４及びクリップ２を取り付けて前方向の可動操作手段を講じている。【００５９】  消しゴム９の出し入れ繰り出し操作は、消しゴムホルダー６を回動することによって、出入り口１１から出没し出し入れができる。
回転止め片１４の形状は、図３で説明した楕円形状を用いてもよく、その場合の中筒１２の内部形状も楕円形状受け孔による回転止め孔１３を形成すればよい。
その他の説明は、上記の図１〜図２で説明したものと同様のため説明を省略する。
【実施例４】
【００６０】  図６は、軸筒３に内蔵された中筒１２の後方先端部の内周面に、雌螺旋８を形成し、一方の消しゴム９に設けた雄螺旋１０とかみ合わせて出し入れ繰り出し機構を構成している。
それに、消しゴム９に鉛筆芯１５の挿入孔１６を設けると共に、一方端部に孔が貫通して切れ目の入った蛸足細長形状の通過阻止弁１７を一体化形成し、鉛筆芯の逆戻り阻止を行なう。【００６１】  尚、この場合の消しゴム９の出し入れ操作は、出入り口１１から出没させた消しゴム９の先端部を摘んで左右回動を行なう方法のものであって、簡易的構造でコスト削減に貢献する。【００６２】  軸筒３の後方先端には、鉛筆芯の繰り出しを行なうための押圧ノック部２３がキャップを兼ねて装着され、そのノック部２３にレバー支持４及びクリップ２が一体化に連結し接続している。
鉛筆芯の繰り出し操作は、クリップ２及びノック部２３の何れかを前方に押圧することにより、ノック部２３は、係り凸部２４に接して中筒１２が前方に押圧される。
消しゴムの出し入れ繰り出し操作する場合、一体化のノック部２３及びクリップ２を軸筒３から抜き外して、消しゴム９の先端部を回動操作すればよい。
【実施例５】
【００６３】  図７は、シャープペンシルの筒体１の後方に装着した消しゴム内蔵のカプセル型着脱構造式消しゴム繰り出し装置である。
これらの方法は、軸筒３の内部に挿入する中筒１２を独立分離して軸筒３内から出し入れ手段を行なうものである。【００６４】  中筒１２の後方先端外周囲に係り部５を形成し、その部分に消しゴムホルダー６に設けた嵌合部７を係合して消しゴムホルダー６を左右回動と着脱自在に装着した。
中筒１２の外周面に、中筒１２の回転止め用突起物とする回転止め凸片２９を設けて軸筒３に形成した切り欠け挿入溝部に嵌め込んで中筒１２の回転防止を行なう。【００６５】  更に中筒１２の内部に突起物の回転止め片３２を突出させて、消しゴム９の前後方向に連ねて形成した凹溝の受け溝３３の部分に嵌め込み、消しゴム９の回転防止を行なう。尚、図７によるその他の消しゴム９の回転防止方法は、上述の実施例１〜実施例３で示す中筒１２と同様の回転止め孔１３を形成してもよい。【００６６】  消しゴムホルダー６の内部に雌螺旋８を設け、消しゴム９の雄螺旋１０とかかわり合わせて消しゴム９をカプセル型の中筒１２内に挿入し、消しゴムホルダー６の左右回動によって出し入れ繰り出し操作を行なう。【００６７】  消しゴム９の一方に、細長パイプ状の通過阻止弁１７を形成し且つ、中筒１２の前方端部に漏斗状の通過阻止弁１７を二重に形成して鉛筆芯１５が飛び抜けないようにする。
消しゴム９の入れ替えは、消しゴムホルダー６を係り部５から引き離して行なう。【００６８】  軸筒３内の芯タンク３１は、レバー支持４が連結されてクリップが嵌合し、前方可動操作によって鉛筆芯の繰り出しを行なう。
鉛筆芯の挿入は、挿入孔１６から二重の通過阻止弁１７、１７を貫通して芯タンク３１へ瞬時に挿入する方法と、カプセル型着脱構造による一体化の中筒１２及び消しゴムホルダー６と共に、軸筒３内から引き抜いて芯タンク３１へ直接挿入してもよい。【００６９】  通過阻止弁１７の形状も上述の他に、短冊状フィルム開閉弁等、多種多様に考えられるので用途によって用いれば用を成すものである。【００７０】  上述で示した係り部５及び嵌合部７による係合方法においても、図１の軸筒３後方端部又は図４の中筒１２の後方端部若しくは、図５の丸筒２１に設けた係合方法等、その他多種多様な手段が講じられる。それに、筒体１の後方に設けた凹凸形状の係り部の形成方法においても、図１で示す凹状の係り部３４と凸状の嵌合部３５同士でもよく、多様な位置において凹凸形成方法を用いれば用を成すものである。【００７１】    本発明の図１で示した収納クリップ及び消しゴム繰り出し装置と消しゴムの挿入孔による鉛筆芯の挿入方法、これらの組み合わせ手段によれば従来にない画期的なシャープペンシルによるそれぞれの効果が発揮される。
【符号の説明】
【００７２】１    筒体
３    軸筒
５    係り部
６    消しゴムホルダー
７    嵌合部
８    雌螺旋
９    消しゴム
１０  雄螺旋
１１  出入り口
１２  中筒
１３  回転止め孔
１４  回転止め片
１５  鉛筆芯
１６  挿入孔
１７  通過阻止弁
【要約】
【課題】  従来のシャープペンシルや、単独筒体型の消しゴム繰り出し装置及び鉛筆芯の挿入方法等の構造として、用いる部品や部材の種類が数多く複雑な機構で構成され、これらをシャープペンシルに装着時、コスト及び構造的な問題があった。
【解決手段】  筒体の後方端部に、左右の回動操作及び着脱自在の消しゴムホルダーを遊嵌に係合し装着する。
前記消しゴムホルダー内に雌螺旋を形成し、前記消しゴムホルダー内に嵌め込まれる消しゴム外周面に雄螺旋を設けてかかわり合わせ、一方側の消しゴムを筒体内に挿入して消しゴムの出し入れ繰り出し操作を行なう。消しゴムの中心内部に鉛筆芯の挿入孔を貫通させて中筒（芯タンク）に瞬時に鉛筆芯を挿入すると共に、中筒から鉛筆芯が飛び抜けないように通過阻止弁を設ける。
【選択図】図１【図１】
0005698404.tif 000002
【図２】
0005698404.tif 000003
【図３】
0005698404.tif 000004
【図４】
0005698404.tif 000005
【図５】
0005698404.tif 000006
【図６】
0005698404.tif 000007
【図７】
0005698404.tif 000008